【手続補正書】
【提出日】令和2年8月28日(2020.8.28)
【手続補正１】
【補正対象書類名】特許請求の範囲
【補正対象項目名】全文
【補正方法】変更
【補正の内容】
【特許請求の範囲】
【請求項１】
車載装置と、前記車載装置で利用可能な所定のデータを記憶するサーバと、前記車載装置と前記サーバとの間のデータ通信を中継する機能を有する他の装置とを備える通信システムにおいて、
前記車載装置及び前記他の装置は、それぞれのストレージ領域に、前記サーバに記憶された前記データと同一バージョン又は異なるバージョンのデータを記憶し、
前記車載装置は、
当該車載装置、前記他の装置及び前記サーバのうち、最も新しいバージョンのデータを記憶する通信先を特定し、特定した通信先が当該車載装置以外の場合、当該車載装置のストレージ領域に記憶される前記データを、特定した前記通信先に記憶される前記データに更新する同期処理を行う同期制御部を有し、
前記同期制御部は、前記特定した通信先が前記他の装置及び前記サーバの両方の場合、当該車載装置のストレージ領域に記憶される前記データを、前記他の装置に記憶される前記データに更新することを特徴とする通信システム。
【請求項２】
前記同期制御部は、特定した通信先である前記サーバと当該車載装置との間の通信速度が閾値未満であって、且つ、前記他の装置に、当該車載装置よりも新しいバージョンの前記データが記憶されるときは、当該車載装置のストレージ領域に記憶される前記データを、前記他の装置に記憶される前記データに更新する同期処理を行うことを特徴とする請求項１に記載の通信システム。
【請求項３】
前記他の装置は、前記サーバと通信可能な場合、前記サーバに記憶されるデータのバージョンが、当該他の装置に記憶されるデータのバージョンよりも新しい場合に、当該他の装置に記憶されるデータを、前記サーバに記憶される前記データに更新する同期処理を行う他の装置側同期制御部を有することを特徴とする請求項１又は２に記載の通信システム。
【請求項４】
前記他の装置側同期制御部は、前記車載装置と通信可能か否かに関わらず、前記サーバと通信可能な場合、前記同期処理を行うことを特徴とする請求項３に記載の通信システム。
【請求項５】
前記データは、前記車載装置と前記サーバとの間の通信がオフラインの場合でも前記車載装置にて使用可能なデータであることを特徴とする請求項１から４のいずれかに記載の通信システム。
【請求項６】
前記データは、スクリプトを含むコンテンツデータであることを特徴とする請求項５に記載の通信システム。
【請求項７】
前記他の装置は、携帯端末であることを特徴とする請求項１から６のいずれかに記載の通信システム。
【請求項８】
他の装置と通信可能で、かつ、前記他の装置を介してサーバと通信可能な車載装置において、
当該車載装置及び前記他の装置のそれぞれのストレージ領域に記憶される、前記サーバに記憶されるデータと同一バージョン又は異なるバージョンのデータ、及び、前記サーバに記憶される前記データのうち、最も新しいバージョンのデータを記憶する通信先を特定し、特定した通信先が当該車載装置以外の場合、当該車載装置のストレージ領域に記憶される前記データを、特定した前記通信先に記憶される前記データに更新する同期処理を行う同期制御部を有し、
前記同期制御部は、前記特定した通信先が前記他の装置及び前記サーバの両方の場合、当該車載装置のストレージ領域に記憶される前記データを、前記他の装置に記憶される前記データに更新することを特徴とする車載装置。
【請求項９】
前記同期制御部は、特定した通信先である前記サーバと当該車載装置との間の通信速度が閾値未満であって、且つ、前記他の装置に、当該車載装置よりも新しいバージョンの前記データが記憶されるときは、当該車載装置のストレージ領域に記憶される前記データを、前記他の装置に記憶される前記データに更新する同期処理を行うことを特徴とする請求項８に記載の車載装置。
【請求項１０】
前記データは、前記車載装置と前記サーバとの間の通信がオフラインの場合でも前記車載装置にて使用可能なデータであることを特徴とする請求項８又は９に記載の車載装置。
【請求項１１】
前記データは、スクリプトを含むコンテンツデータであることを特徴とする請求項１０に記載の車載装置。
【請求項１２】
前記他の装置は、携帯端末であることを特徴とする請求項８から１１のいずれかに記載の車載装置。
【請求項１３】
他の装置と通信可能で、かつ、前記他の装置を介してサーバと通信可能な車載装置の制御方法において、
当該車載装置及び前記他の装置のそれぞれのストレージ領域に記憶される、前記サーバに記憶されるデータと同一バージョン又は異なるバージョンのデータ、及び、前記サーバに記憶される前記データのうち、最も新しいバージョンのデータを記憶する通信先を特定するステップと、
特定した通信先が当該車載装置以外の場合、当該車載装置のストレージ領域に記憶される前記データを、特定した前記通信先に記憶される前記データに更新する同期処理を行うステップとを有し、
前記同期処理を行うステップでは、前記特定した通信先が前記他の装置及び前記サーバの両方の場合、当該車載装置のストレージ領域に記憶される前記データを、前記他の装置に記憶される前記データに更新することを特徴とする車載装置の制御方法。
【請求項１４】
前記同期処理を行うステップでは、特定した通信先である前記サーバと当該車載装置との間の通信速度が閾値未満であって、且つ、前記他の装置に、当該車載装置よりも新しいバージョンの前記データが記憶されるときは、当該車載装置のストレージ領域に記憶される前記データを、前記他の装置に記憶される前記データに更新する同期処理を行うことを特徴とする請求項１３に記載の車載装置の制御方法。
【請求項１５】
前記他の装置は、携帯端末であることを特徴とする請求項１３又は１４に記載の車載装置の制御方法。
【手続補正２】
【補正対象書類名】明細書
【補正対象項目名】０００６
【補正方法】変更
【補正の内容】
【０００６】
上記目的を達成するために、車載装置と、前記車載装置で利用可能な所定のデータを記憶するサーバと、前記車載装置と前記サーバとの間のデータ通信を中継する機能を有する他の装置とを備える通信システムにおいて、前記車載装置及び前記他の装置は、それぞれのストレージ領域に、前記サーバに記憶された前記データと同一バージョン又は異なるバージョンのデータを記憶し、前記車載装置は、当該車載装置、前記他の装置及び前記サーバのうち、最も新しいバージョンのデータを記憶する通信先を特定し、特定した通信先が当該車載装置以外の場合、当該車載装置のストレージ領域に記憶される前記データを、特定した前記通信先に記憶される前記データに更新する同期処理を行う同期制御部を有し、前記同期制御部は、前記特定した通信先が前記他の装置及び前記サーバの両方の場合、当該車載装置のストレージ領域に記憶される前記データを、前記他の装置に記憶される前記データに更新することを特徴とする。
【手続補正３】
【補正対象書類名】明細書
【補正対象項目名】０００７
【補正方法】変更
【補正の内容】
【０００７】
上記通信システムにおいて、前記同期制御部は、特定した通信先である前記サーバと当該車載装置との間の通信速度が閾値未満であって、且つ、前記他の装置に、当該車載装置よりも新しいバージョンの前記データが記憶されるときは、当該車載装置のストレージ領域に記憶される前記データを、前記他の装置に記憶される前記データに更新する同期処理を行うことを特徴とする。
【手続補正４】
【補正対象書類名】明細書
【補正対象項目名】０００８
【補正方法】変更
【補正の内容】
【０００８】
上記通信システムにおいて、前記他の装置は、前記サーバと通信可能な場合、前記サーバに記憶されるデータのバージョンが、当該他の装置に記憶されるデータのバージョンよりも新しい場合に、当該他の装置に記憶されるデータを、前記サーバに記憶される前記データに更新する同期処理を行う他の装置側同期制御部を有することを特徴とする。
【手続補正５】
【補正対象書類名】明細書
【補正対象項目名】０００９
【補正方法】変更
【補正の内容】
【０００９】
上記通信システムにおいて、前記他の装置側同期制御部は、前記車載装置と通信可能か否かに関わらず、前記サーバと通信可能な場合、前記同期処理を行うことを特徴とする。
【手続補正６】
【補正対象書類名】明細書
【補正対象項目名】００１１
【補正方法】変更
【補正の内容】
【００１１】
上記構成において、前記データは、スクリプトを含むコンテンツデータであることを特徴とする。上記構成において、前記他の装置は携帯端末でもよい。
【手続補正７】
【補正対象書類名】明細書
【補正対象項目名】００１２
【補正方法】変更
【補正の内容】
【００１２】
また、他の装置と通信可能で、かつ、前記他の装置を介してサーバと通信可能な車載装置において、当該車載装置及び前記他の装置のそれぞれのストレージ領域に記憶される、前記サーバに記憶されるデータと同一バージョン又は異なるバージョンのデータ、及び、前記サーバに記憶される前記データのうち、最も新しいバージョンのデータを記憶する通信先を特定し、特定した通信先が当該車載装置以外の場合、当該車載装置のストレージ領域に記憶される前記データを、特定した前記通信先に記憶される前記データに更新する同期処理を行う同期制御部を有し、前記同期制御部は、前記特定した通信先が前記他の装置及び前記サーバの両方の場合、当該車載装置のストレージ領域に記憶される前記データを、前記他の装置に記憶される前記データに更新することを特徴とする。
【手続補正８】
【補正対象書類名】明細書
【補正対象項目名】００１３
【補正方法】変更
【補正の内容】
【００１３】
上記車載装置において、前記同期制御部は、特定した通信先である前記サーバと当該車載装置との間の通信速度が閾値未満であって、且つ、前記他の装置に、当該車載装置よりも新しいバージョンの前記データが記憶されるときは、当該車載装置のストレージ領域に記憶される前記データを、前記他の装置に記憶される前記データに更新する同期処理を行うことを特徴とする。
【手続補正９】
【補正対象書類名】明細書
【補正対象項目名】００１５
【補正方法】変更
【補正の内容】
【００１５】
上記車載装置において、前記データは、スクリプトを含むコンテンツデータであることを特徴とする。上記車載装置において、前記他の装置は携帯端末でもよい。
【手続補正１０】
【補正対象書類名】明細書
【補正対象項目名】００１６
【補正方法】変更
【補正の内容】
【００１６】
また、他の装置と通信可能で、かつ、前記他の装置を介してサーバと通信可能な車載装置の制御方法において、当該車載装置及び前記他の装置のそれぞれのストレージ領域に記憶される、前記サーバに記憶されるデータと同一バージョン又は異なるバージョンのデータ、及び、前記サーバに記憶される前記データのうち、最も新しいバージョンのデータを記憶する通信先を特定するステップと、特定した通信先が当該車載装置以外の場合、当該車載装置のストレージ領域に記憶される前記データを、特定した前記通信先に記憶される前記データに更新する同期処理を行うステップとを有し、前記同期処理を行うステップでは、前記特定した通信先が前記他の装置及び前記サーバの両方の場合、当該車載装置のストレージ領域に記憶される前記データを、前記他の装置に記憶される前記データに更新することを特徴とする。
【手続補正１１】
【補正対象書類名】明細書
【補正対象項目名】００１７
【補正方法】変更
【補正の内容】
【００１７】
上記車載装置の制御方法において、前前記同期処理を行うステップでは、特定した通信先である前記サーバと当該車載装置との間の通信速度が閾値未満であって、且つ、前記他の装置に、当該車載装置よりも新しいバージョンの前記データが記憶されるときは、当該車載装置のストレージ領域に記憶される前記データを、前記他の装置に記憶される前記データに更新する同期処理を行うことを特徴とする。上記車載装置の制御方法において、前記他の装置は携帯端末でもよい。